(57)【要約】【課題】サービスカバー内で発生したドレン水を、操作弁ブラケットを介して確実にベース板側に回収できるとともに、機械室内で発生した騒音の放出を抑制し、室外ユニットの品質を向上することができる空気調和機の室外ユニットを提供することを目的とする。【解決手段】室外ユニットのベース板３上に、操作弁１２，１３を設けた操作弁ブラケット１０が設置され、その外側面側にサービスカバー２１が設けられている空気調和機の室外ユニットにおいて、サービスカバー２１内の操作弁１２，１３の設置位置よりも下方部位に、該サービスカバー２１内で発生したドレン水を収集し、ベース板３側に排出するドレン排出部２３が設けられ、該ドレン排出部２３と対向して操作弁ブラケット１０の下方部位および下端に、ドレン排出部２３から排出されるドレン水をフランジ部３Ａよりも内側のベース板３上に回収する凹部１９および切欠き部２０が設けられている。【選択図】図５
2014074544.tif 000002
【特許請求の範囲】
【請求項１】
ベース板の周縁から上方に立ち上げられたフランジ部に、操作弁を設けた操作弁ブラケットが側面パネルより外面側に露出されて固定設置され、その外側を覆うサービスカバーが前記側面パネルに着脱自在に設置されている空気調和機の室外ユニットにおいて、
前記サービスカバー内の前記操作弁の設置位置よりも下方部位に、該サービスカバー内で発生したドレン水を収集し、前記ベース板側に排出するドレン排出部が設けられ、
該ドレン排出部と対向して前記操作弁ブラケットの下方部位および下端に、前記ドレン排出部から排出されるドレン水を前記フランジ部よりも内側の前記ベース板上に回収する凹部および切欠き部が設けられていることを特徴とする空気調和機の室外ユニット。
【請求項２】
前記ドレン排出部は、収集したドレン水の排出端として樋状の突出部を備えていることを特徴とする請求項１に記載の空気調和機の室外ユニット。
【請求項３】
前記凹部は、前記操作弁ブラケットの下方端まで延長され、その下端に水平方向に延びるスリット状の前記切欠き部が設けられていることを特徴とする請求項１または２に記載の空気調和機の室外ユニット。
【請求項４】
前記凹部は、前記操作弁ブラケットの下方部位の両側に形成されている前記フランジ部への締結部間に設けられていることを特徴とする請求項１ないし３のいずれかに記載の空気調和機の室外ユニット。
【発明の詳細な説明】
【技術分野】
【０００１】
本発明は、室外ユニットのベース板上に操作弁ブラケットが設置され、その外側面側にサービスカバーが設けられている空気調和機の室外ユニットに関するものである。
【背景技術】
【０００２】
空気調和機の室外ユニットにおいては、機械室側の内部に、冷媒配管を接続する操作弁が設けられている操作弁ブラケットが、側面パネルから外部に露出されるように設置されている。この操作弁ブラケットは、特許文献１に示されるように、室外ユニットのベース板の周縁部に鉛直上方に立ち上げられているフランジ部に固定設置されており、操作弁に対して外部からのアクセスを可能とするため、操作弁を側面パネルから外部側に露出させて設置している。
【０００３】
操作弁としては、２個のガス側操作弁および液側操作弁が上下に傾斜して配置され、室内ユニットとの間に接続されるガス側冷媒配管および液側冷媒配管が接続可能な構成とされている。この操作弁および操作弁ブラケットの外面側は、室外ユニットの側面パネルに対して着脱自在に設置されるサービスカバー（または側面カバーともいう。）によって覆われている。サービスカバーには、背面側に開口部が設けられており、その開口部を通して室内ユニットとの間に接続される冷媒配管および電力線、通信線等が配管、配線されるようになっている。
【先行技術文献】
【特許文献】
【０００４】
【特許文献１】特開平１０−２５９９３２号公報
【発明の概要】
【発明が解決しようとする課題】
【０００５】
上記の室外ユニットにおいて、操作弁ブラケットの外面側を覆うサービスカバーには、背面側に配管、配線を通す開口部が設けられているため、内部に雨水が侵入してドレン水が発生する。また、ガス側操作弁および液側操作弁に低圧冷媒が流通した場合、操作弁が冷やされ、その表面で結露水が発生する。これらのドレン水は、サービスカバーの下方部位に設けられているドレン排出部に収集された後、該ドレン排出部から操作弁ブラケットの対向する側面に開口されている穴を介して室外ユニットのベース板上に回収され、処理される構成とされていた。
【０００６】
しかるに、操作弁ブラケットに穴を開口した場合、当該穴を通して機械室内で発生した騒音がサービスカバーを経てユニット外部に放出されるので、騒音が外部に放出されないようにする工夫が必要であった。また、騒音の放出を抑制するため、穴の開口面積を小さくしたり、穴に騒音漏出防止手段を設けたりすると、操作弁ブラケットの強度をアップできる反面、サービスカバー内で発生したドレン水をベース板側に回収する際に、ドレン水が外部に飛散あるいは漏出し易くなる等の課題があった。
【０００７】
本発明は、このような事情に鑑みてなされたものであって、サービスカバー内で発生したドレン水を、操作弁ブラケットを介して確実にベース板側に回収できるとともに、機械室内で発生した騒音の放出を抑制し、室外ユニットの品質を向上することができる空気調和機の室外ユニットを提供することを目的とする。
【課題を解決するための手段】
【０００８】
上記した課題を解決するために、本発明の空気調和機の室外ユニットは、以下の手段を採用する。
すなわち、本発明にかかる空気調和機の室外ユニットは、ベース板の周縁から上方に立ち上げられたフランジ部に、操作弁を設けた操作弁ブラケットが側面パネルより外面側に露出されて固定設置され、その外側を覆うサービスカバーが前記側面パネルに着脱自在に設置されている空気調和機の室外ユニットにおいて、前記サービスカバー内の前記操作弁の設置位置よりも下方部位に、該サービスカバー内で発生したドレン水を収集し、前記ベース板側に排出するドレン排出部が設けられ、該ドレン排出部と対向して前記操作弁ブラケットの下方部位および下端に、前記ドレン排出部から排出されるドレン水を前記フランジ部よりも内側の前記ベース板上に回収する凹部および切欠き部が設けられていることを特徴とする。
【０００９】
本発明によれば、ベース板周縁のフランジ部に設置されている操作弁ブラケットの外側を覆うサービスカバーが、側面パネルに着脱自在に設置されている空気調和機の室外ユニットにあって、サービスカバー内の操作弁の設置位置よりも下方部位に、該サービスカバー内で発生したドレン水を収集し、ベース板側に排出するドレン排出部が設けられ、該ドレン排出部と対向する操作弁ブラケットの下方部位および下端に、ドレン排出部から排出されるドレン水をフランジ部よりも内側のベース板上に回収する凹部および切欠き部が設けられているため、サービスカバー内で外部からの侵入により発生したドレン水あるいは操作弁の表面で結露によって発生したドレン水等は、サービスカバー内の下方部位に設けられているドレン排出部に収集され、ドレン排出部を介して室外ユニットのベース板上に排出されるが、このドレン排出部から排出されるドレン水を、ドレン排出部と対向して操作弁ブラケットの下方部位に設けられている凹部に沿って流下させ、その下端に設けられている切欠き部を介してフランジ部よりも内側のベース板上に回収し、該ベース板上の特定位置へと流動させることができる。従って、サービスカバー内で発生したドレン水を確実にベース板上に回収して処理し、ドレン水が側面パネル側の不特定位置から外部に飛散あるいは漏出するのを防止することができる。また、従来、ドレン水を回収するために操作弁ブラケットに設けていた開口を不要にすることにより、その開口からのユニット内騒音の漏れをなくし、室外ユニットの品質を向上することができる。
【００１０】
さらに、本発明の空気調和機の室外ユニットは、上記の空気調和機の室外ユニットにおいて、前記ドレン排出部は、収集したドレン水の排出端として樋状の突出部を備えていることを特徴とする。
【００１１】
本発明によれば、ドレン排出部が、収集したドレン水の排出端として樋状の突出部を備えているため、ドレン排出部に収集されたドレン水を、樋状の突出部とされている排出端から対向する操作弁ブラケットの凹部に向って排出し、該凹部を介してベース板上へと回収することができる。従って、ドレン排出部に収集したドレン水を確実に樋状の突出部を介してベース板側へと導くことができ、不特定位置からのドレン水の外部への飛散あるいは漏出を防止することができる。
【００１２】
さらに、本発明の空気調和機の室外ユニットは、上述のいずれかの空気調和機の室外ユニットにおいて、前記凹部は、前記操作弁ブラケットの下方端まで延長され、その下端に水平方向に延びるスリット状の前記切欠き部が設けられていることを特徴とする。
【００１３】
本発明によれば、凹部が、操作弁ブラケットの下方端まで延長され、その下端に水平方向に延びるスリット状の切欠き部が設けられているため、サービスカバー内のドレン排出部から操作弁ブラケットの凹部を介してベース板側に回収したドレン水を、凹部の下端に設けられている水平方向に延びるスリット状の切欠き部からベース板上の特定位置へと流動させ、排出処理することができる。従って、不特定の位置からのドレン水の飛散、漏出を防止して適切に処理することができるとともに、スリット状切欠き部からのユニット内騒音の外部への漏れを最小限に抑えることができる。
【００１４】
さらに、本発明の空気調和機の室外ユニットは、上述のいずれかの空気調和機の室外ユニットにおいて、前記凹部は、前記操作弁ブラケットの下方部位の両側に形成されている前記フランジ部への締結部間に設けられていることを特徴とする。
【００１５】
本発明によれば、凹部が、操作弁ブラケットの下方部位の両側に形成されているフランジ部への締結部間に設けられているため、操作弁ブラケットをその下方部位の両側に形成されている締結部を介してベース板のフランジ部に固定設置した時、その締結部間に凹部を介してドレン水が流下する流路を形成し、サービスカバー側からのドレン水をベース板側に回収することができる。従って、サービスカバー側で発生したドレン水の不特定位置からの外部への飛散、漏出を防止し、確実にベース板側に回収することができる。
【発明の効果】
【００１６】
本発明によると、サービスカバー内で外部からの侵入により発生したドレン水あるいは操作弁の表面で結露によって発生したドレン水等は、サービスカバー内の下方部位に設けられているドレン排出部に収集され、ドレン排出部を介して室外ユニットのベース板上に排出されるが、このドレン排出部から排出されるドレン水を、ドレン排出部と対向して操作弁ブラケットの下方部位に設けられている凹部に沿って流下させ、その下端に設けられている切欠き部を介してフランジ部よりも内側のベース板上に回収し、該ベース板上の特定位置へと流動させることができるため、サービスカバー内で発生したドレン水を確実にベース板上に回収して処理し、ドレン水が側面パネル側の不特定位置から外部に飛散あるいは漏出するのを防止することができる。また、従来、ドレン水を回収するために操作弁ブラケットに設けていた開口を不要にすることにより、その開口からのユニット内騒音の漏れをなくし、室外ユニットの品質を向上することができる。
【図面の簡単な説明】
【００１７】
【図１】本発明の一実施形態に係る空気調和機の室外ユニットのサービスパネルを取り外した状態の斜視図である。
【図２】図１に示す室外ユニットのベース板上に操作弁ブラケットを設置した状態の斜視図である。
【図３】図２に示す操作弁ブラケットの斜視図である。
【図４】図２に示す操作弁ブラケットの外面側にサービスカバーを設置した状態の縦断面図である。
【図５】図４におけるＡ部の拡大断面図である。
【図６】図４に示すサービスカバーを内面側から見た状態の斜視図である。
【発明を実施するための形態】
【００１８】
以下に、本発明の一実施形態について、図１ないし図６を参照して説明する。
図１には、本発明の一実施形態に係る空気調和機の室外ユニットのサービスパネルを取り外した状態の斜視図が示され、図２には、そのベース板上に操作弁ブラケットを設置した状態の斜視図、図３には、操作弁ブラケットの斜視図、図４には、操作弁ブラケットの外側にサービスカバーを設置した状態の縦断面図が示されている。
空気調和機の室外ユニット１は、底面に複数の据え付け脚４が設けられているベース板３と、ベース板３上に設置される吹出しグリル６を設けた前面パネル５、左・右側面パネル７，８および上面パネル９等とから構成される筐体２を備えている。
【００１９】
筐体２の背面側は、略開口されており、その開口に面してプレートファンチューブ形の室外熱交換器が設置されている。筐体２の内部は、公知の如く、仕切り板により熱交換器室側と機械室側とに仕切られており、熱交換器室側には、上記室外熱交換器および該室外熱交換器を通して外気を流通させ、吹出しグリル６から前面側に吹出す送風ファン等が配設され、機械室側には、圧縮機、四方切換弁、コントロールボックス、操作弁ブラケット１０および電力線、通信線等を接続する端子台１１等が設置されている。
【００２０】
操作弁ブラケット１０および端子台１１は、図１に示されるように、側面パネル７から外部側に露出されるように設置されており、その外面側は、室外ユニット１の側面パネル７に対して着脱自在に設置される後述のサービスカバー（側面カバーともいう。）２１によって覆われる構成とされている。
【００２１】
筐体２のベース板３は、図２に示されるように、横長長方形状の板金製板材であり、室外熱交換器、送風ファン、圧縮機等の設置部が成形されているとともに、周縁部に鉛直上方に立ち上げられた所定高さのフランジ部３Ａが設けられた構成とされている。このベース板３の右側辺側のフランジ部３Ａには、操作弁ブラケット１０がネジ等の締結手段を介して固定設置されている。
【００２２】
操作弁ブラケット１０は、上下方向に長くされた略長方形状の板金製部品であり、室内ユニットとの間に接続されるガス側冷媒配管および液側冷媒配管が接続可能な構成とされているガス側操作弁１２および液側操作弁１３の２個の操作弁１２，１３が上下に傾斜された状態でネジ１４等により固定設置されている。このガス側操作弁１２および液側操作弁１３には、室外ユニット１側の構成機器と接続するための冷媒接続管１５，１６が設けられている。
【００２３】
また、操作弁ブラケット１０には、図３に示されるように、操作弁ブラケット１０をベース板３のフランジ部３Ａに対してネジ等により締結するために、その外側面の下方部両側のフランジ部３Ａに対する締結部位に、フランジ部３Ａ側に向け一定寸法突出するように皿出しされた一対の締結部１７が所定の間隔で一体成形されている。この一対の締結部１７には、ネジによる締結用穴１８が設けられている。
【００２４】
このように、操作弁ブラケット１０のフランジ部３Ａに対する締結部位に、フランジ部３Ａ側に向け一定寸法突出された皿出し状の一対の締結部１７を設け、操作弁ブラケット１０をフランジ部３Ａの内側面に固定設置することによって、図２に示されるように、操作弁ブラケット１０の外側面とフランジ部３Ａの内側面との間に、一定寸法の隙間Ｓを形成することができ、この隙間Ｓを介して、操作弁ブラケット１０やガス側操作弁１２、液側操作弁１３等の表面で結露し、操作弁ブラケット１０の表面を伝って下方に流下する結露水を、ベース板３内に回収することが可能となる。
【００２５】
また、操作弁ブラケット１０および端子台１１の外面側を覆うように、側面パネル７の外側面にサービスカバー２１が着脱自在に設置されている。サービスカバー２１は、図６に示されるように、操作弁ブラケット１０および操作弁１２，１３の外側を覆う部分２１Ａと、端子台１１の外側を覆う部分２１Ｂと、その間を繋ぐ配線覆い部分２１Ｃとを備えた縦長形状のカバーであり、操作弁１２，１３の外側を覆う部分２１Ａの背面側に、冷媒配管、電力線、通信線等を通す開口部２２が設けられている。
【００２６】
このサービスカバー２１の下方部位には、開口部２２を介して外部から雨水が侵入することにより発生したドレン水あるいは操作弁１２，１３の表面で結露することにより発生したドレン水等を収集し、そのドレン水をベース板３側に排出するドレン排出部２３が設けられている。このドレン排出部２３は、操作弁１２，１３から滴下するドレン水を受けるため、操作弁１２，１３の設置位置より下方部位において、サービスカバー２１の内面に中央部が下向きに凹状に設けられている。
【００２７】
また、ドレン排出部２３の操作弁ブラケット１０側の排出端には、収集したドレン水を操作弁ブラケット１０の側面に設けられている後述の凹部１９に導くための樋状の突出部２４が設けられている。なお、サービスカバー２１内には、開口部２２から侵入した雨水がその内部を上昇し、端子台１１の設置部から機械室内のコントロールボックス側に侵入しないように、仕切り壁等が設けられており、雨水の侵入を阻止し一部の外気のみが流通される構成とされている。
【００２８】
さらに、ドレン排出部２３のドレン水排出端に設けられている樋状の突出部２４と対向とする操作弁ブラケット１０の下方部位には、図３および図５に示されるように、その側面を内面側に絞った所定の深さ、幅および高さ方向の寸法を有する凹部１９が一体成形されている。この凹部１９は、樋状の突出部２４から排出されるドレン水を確実に受入れることができる大きさの寸法とされている。また、凹部１９は、操作弁ブラケット１０の下方端まで延長されており、その下端には、ベース板３の上面との間に、水平方向に延びるスリット状の隙間を形成する切欠き部２０が設けられている。
【００２９】
以上に説明の構成により、本実施形態によれば、以下の作用効果を奏する。
空気調和機が運転されることにより、ガス側操作弁１２および液側操作弁１３に低圧冷媒が流通された場合、該操作弁１２，１３およびそれら操作弁１２，１３が設置されている操作弁ブラケット１０が冷却され、その表面において空気中の水分が結露を発生することがある。この結露水は、ドレン水として操作弁１２，１３から下方に滴下あるいは操作弁ブラケット１０の表面を伝って下方に流下するが、それらを全てベース板３内に回収する必要がある。
【００３０】
また、サービスカバー２１は、背面側に開口部２２が設けられていることから、その開口部２２を介して内部に雨水が侵入し、これもドレン水として処理する必要がある。
通常、室外ユニット１は、屋外に設置されるため、室外ユニット１内で発生したドレン水をそのまま屋外に排出しても、殆んど問題になることはないものの、例えば、室外ユニット１をベランダに吊下げ設置する等、その設置の仕方如何によっては、ドレン水が不特定の位置から外部に飛散あるいは漏出する事態を避けなければならない場合があり、一般的にはベース板３の特定位置に排水穴を設け、そこから排出処理するようにしている。
【００３１】
しかるに、本実施形態においては、ベース板３周縁のフランジ部３Ａと、そのフランジ部３Ａに固定設置される操作弁ブラケット１０との側面間に、操作弁ブラケット１０の外側面から外側に向け突出するように設けられている締結部１７の突出寸法に見合った隙間Ｓを形成し、操作弁ブラケット１０をベース板３周縁のフランジ部３Ａに固定設置しているため、その隙間Ｓを介して、ガス側操作弁１２および液側操作弁１３等で操作弁ブラケット１０が冷却されることによりその表面で結露し流下するドレン水を、ベース板３内に回収することができる。従って、操作弁ブラケット１０の表面で結露により発生したドレン水を確実にベース板３内に回収することができ、そのドレン水が操作弁１２，１３側の側面から外部に飛散あるいは漏出する事態を防止することができる。
【００３２】
また、外部からの雨水の侵入により、あるいはガス側操作弁１２および液側操作弁１３の表面で結露し、そのまま下方に滴下することにより、サービスカバー２１内で発生したドレン水は、ドレン排出部２３に収集される。このドレン水は、ドレン排出部２３の排出端である樋状の突出部２４から、その突出部２４に対向して操作弁ブラケット１０の下方部位に設けられている凹部１９に向って放出され、その凹部１９により形成される流路に沿って下方へと流下する。そして、凹部１９の下端に設けられている切欠き部２０を介してフランジ部３Ａよりも内側のベース板３上に回収し、ベース板３上の特定位置（排水穴位置）へと流動させることができる。
【００３３】
このため、サービスカバー２１内で発生したドレン水を確実にベース板３上に回収して処理し、ドレン水が側面パネル７側の不特定位置から外部に飛散あるいは漏出するのを防止することができる。また、従来、ドレン水を回収するために操作弁ブラケット１０に設けていた開口を不要にすることにより、その開口からの機械室内騒音の漏れをなくし、室外ユニット１の品質を向上することができる。
【００３４】
また、ドレン排出部２３は、収集したドレン水の排出端として樋状の突出部２４を備えており、ドレン排出部２３に収集されたドレン水を、樋状の突出部２４とされている排出端から対向する操作弁ブラケット１０の凹部１９に向って排出し、該凹部１９を介してベース板３上へと回収することができる。このため、ドレン排出部２３に収集したドレン水を樋状の突出部２４を介して確実にベース板３側へと導くことができ、不特定位置からのドレン水の外部への飛散あるいは漏出を防止することができる。
【００３５】
さらに、凹部１９は、操作弁ブラケット１０の下方端まで延長され、その下端に水平方向に延びるスリット状の切欠き部２０が設けられた構成とされている。このため、サービスカバー２１内のドレン排出部２３から操作弁ブラケット１０の凹部１９を介してベース板３側に回収したドレン水を、凹部１９の下方端に設けられている水平方向に延びるスリット状の切欠き部２０からベース板３上の特定位置へと流動させ、排出処理することができる。従って、不特定位置からのドレン水の飛散、漏出を防止して適切に処理することができるとともに、スリット状切欠き部２０からの機械室内騒音の外部への漏れを最小限に抑えることができる。
【００３６】
また、上記凹部１９は、操作弁ブラケット１０の下方部位の両側に形成されているフランジ部３Ａへの締結部１７間に設けられているため、操作弁ブラケット１０をその下方部位の両側に形成されている締結部１７を介してベース板３のフランジ部３Ａに固定設置した時、その締結部１７間に凹部１９を介してドレン水が流下する流路を形成し、サービスカバー２１側からのドレン水をベース板３側に回収することができる。従って、サービスカバー２１側で発生したドレン水の不特定位置からの外部への飛散、漏出を防止し、確実にベース板３側に回収することができる。
【００３７】
なお、本発明は、上記実施形態にかかる発明に限定されるものではなく、その要旨を逸脱しない範囲において、適宜変形が可能である。例えば、上記実施形態では、操作弁ブラケット１０をフランジ部３Ａに対してネジで固定設置した例について説明したが、必ずしもネジ止めである必要はなく、他の手段、例えば溶接等であってもよい。また、操作弁ブラケット１０自体の形状やガス側操作弁１２および液側操作弁１３の取付け構造については、上記実施形態のものに限らず、様々な変形例を採用することが可能である。
【００３８】
さらに、上記実施形態では、操作弁ブラケット１０の外側面の下方部位に所定間隔で一対の締結部１７を設けた構成としているが、ベース板３のフランジ部３Ａ側に、操作弁ブラケット１０側に向けて突出された同様の締結部を設けた構成としてもよく、かかる構成とした場合も、その締結部に操作弁ブラケット１０を固定設置することにより、フランジ部３Ａと操作弁ブラケット１０との側面間に、締結部の突出寸法の大きさに見合った隙間Ｓを形成し、操作弁ブラケット１０の表面で結露した結露水を、その隙間Ｓよりベース板３内に回収して処理することができる。
【００３９】
また、操作弁ブラケット１０またはフランジ部３Ａに設けられる締結部１７に加え、フランジ部３Ａにおける操作弁ブラケット１０との締結部位の間を、一定寸法外側に膨出する膨出部を設けた構成とし、隙間Ｓをより大きくするようにしてもよく、このような構成を採用することにより、フランジ部３Ａと操作弁ブラケット１０との側面間に形成される隙間Ｓの大きさを、フランジ部３Ａの外側への膨出寸法を加えた大きさとすることができることから、操作弁ブラケット１０の表面で結露した結露水をベース板３内に導くための隙間Ｓをより大きくし、結露水をベース板３内に回収し易くすることができる。
【符号の説明】
【００４０】
１  室外ユニット
３  ベース板
３Ａ  フランジ部
７  側面パネル
１０  操作弁ブラケット
１２  ガス側操作弁（操作弁）
１３  液側操作弁（操作弁）
１７  締結部
１９  凹部
２０  切欠き部
２１  サービスカバー
２３  ドレン排出部
２４  樋状の突出部
【図１】
2014074544.tif 000003
【図２】
2014074544.tif 000004
【図３】
2014074544.tif 000005
【図４】
2014074544.tif 000006
【図５】
2014074544.tif 000007
【図６】
2014074544.tif 000008